【手続補正書】
【提出日】平成18年4月4日(2006.4.4)
【手続補正１】
【補正対象書類名】明細書
【補正対象項目名】発明の名称
【補正方法】変更
【補正の内容】
【発明の名称】冷凍システム、冷凍システム付冷凍車、冷蔵システム、冷蔵システム付冷蔵車、冷房システム及び冷房システム付普通乗用車
【手続補正２】
【補正対象書類名】明細書
【補正対象項目名】特許請求の範囲
【補正方法】変更
【補正の内容】
【特許請求の範囲】
【請求項１】  エンジンと、圧縮空気を蓄える冷凍機用エアタンクと、該冷凍機用エアタンクより供給される圧縮空気で駆動するタービンと、該エンジン及び該タービンの出力によって動作する冷媒圧縮機を具備する冷凍機とを備える冷凍システムにおいて、
該冷凍機の冷媒圧縮機は該エンジン又は該タービンの一方に切り換えて接続されることを特徴とする冷凍システム。
【請求項２】  上記冷凍機の冷媒圧縮機には冷凍機用発電機が接続され、該冷凍機用発電機の出力を用いて空気再圧縮機を動作させ、該空気再圧縮機によって生成される圧縮空気を上記タービンの駆動源として供給する請求項１記載の冷凍システム。
【請求項３】  エンジンと、圧縮空気を蓄える冷凍機用エアタンクと、該冷凍機用エアタンクより供給される圧縮空気で駆動する発電機と、該発電機若しくはバッテリから供給される電力で動作する電動機と、該エンジン及び該電動機の出力によって動作する冷媒圧縮機を具備する冷凍機とを備える冷凍システムにおいて、
該冷凍機の冷媒圧縮機は該エンジン又は該電動機の一方に切り換えて接続されることを特徴とする冷凍システム。
【請求項４】  上記冷凍機用エアタンクに蓄えられる圧縮空気は、上記エンジンに接続される空気圧縮機によって供給される請求項１、２又は３記載の冷凍システム。
【請求項５】  請求項１、２、３又は４記載の冷凍システムを備える冷凍システム付冷凍車において、該冷凍システムを冷凍車に具備する冷凍機に配設する冷凍システム付冷凍車。
【請求項６】  上記冷凍システムの上記エンジンは上記冷凍車の走行用に用いられるエンジンである請求項５記載の冷凍システム付冷凍車。
【請求項７】  エンジンと、圧縮空気を蓄える冷凍機用エアタンクと、該冷凍機用エアタンクより供給される圧縮空気で駆動するタービンと、該エンジン及び該タービンの出力によって動作する冷媒圧縮機を具備する冷蔵機とを備える冷蔵システムにおいて、
該冷蔵機の冷媒圧縮機は該エンジン又は該タービンの一方に切り換えて接続されることを特徴とする冷蔵システム。
【請求項８】  上記冷蔵機の冷媒圧縮機には冷凍機用発電機が接続され、該冷凍機用発電機の出力を用いて空気再圧縮機を動作させ、該空気再圧縮機によって生成される圧縮空気を上記タービンの駆動源として供給する請求項７記載の冷蔵システム。
【請求項９】  エンジンと、圧縮空気を蓄える冷凍機用エアタンクと、該冷凍機用エアタンクより供給される圧縮空気で駆動する発電機と、該発電機若しくはバッテリから供給される電力で動作する電動機と、該エンジン及び該電動機の出力によって動作する冷媒圧縮機を具備する冷蔵機とを備える冷蔵システムにおいて、
該冷蔵機の冷媒圧縮機は該エンジン又は該電動機の一方に切り換えて接続されることを特徴とする冷蔵システム。
【請求項１０】  上記冷凍機用エアタンクに蓄えられる圧縮空気は、上記エンジンに接続される空気圧縮機によって供給される請求項７、８又は９記載の冷蔵システム。
【請求項１１】  請求項７、８、９又は１０記載の冷蔵システムを備える冷蔵システム付冷蔵車において、該冷蔵システムを冷蔵車に具備する冷蔵機に配設する冷蔵システム付冷蔵車。
【請求項１２】  上記冷蔵システムの上記エンジンは上記冷蔵車の走行用に用いられるエンジンである請求項１１記載の冷蔵システム付冷蔵車。
【請求項１３】  エンジンと、圧縮空気を蓄える冷凍機用エアタンクと、該冷凍機用エアタンクより供給される圧縮空気で駆動するタービンと、該エンジン及び該タービンの出力によって動作する冷媒圧縮機を具備する冷房機とを備える冷房システムにおいて、
該冷房機の冷媒圧縮機は該エンジン又は該タービンの一方に切り換えて接続されることを特徴とする冷房システム。
【請求項１４】  上記冷房機の冷媒圧縮機には冷凍機用発電機が接続され、該冷凍機用発電機の出力を用いて空気再圧縮機を動作させ、該空気再圧縮機によって生成される圧縮空気を上記タービンの駆動源として供給する請求項１３記載の冷房システム。
【請求項１５】  エンジンと、圧縮空気を蓄える冷凍機用エアタンクと、該冷凍機用エアタンクより供給される圧縮空気で駆動する発電機と、該発電機若しくはバッテリから供給される電力で動作する電動機と、該エンジン及び該電動機の出力によって動作する冷媒圧縮機を具備する冷房機とを備える冷房システムにおいて、
該冷房機の冷媒圧縮機は該エンジン又は該電動機の一方に切り換えて接続されることを特徴とする冷房システム。
【請求項１６】  上記冷凍機用エアタンクに蓄えられる圧縮空気は、上記エンジンに接続される空気圧縮機によって供給される請求項１３、１４又は１５記載の冷房システム。
【請求項１７】  請求項１３、１４、１５又は１６記載の冷房システムを備える冷房システム付普通乗用車において、該冷房システムを普通乗用車に具備する冷房機に配設する冷房システム付普通乗用車。
【請求項１８】  上記冷房システムの上記エンジンは上記普通乗用車の走行用に用いられるエンジンである請求項１７記載の冷房システム付普通乗用車。
【手続補正３】
【補正対象書類名】明細書
【補正対象項目名】０００１
【補正方法】変更
【補正の内容】
【０００１】
【発明の属する技術分野】
本発明は、本発明はエンジンを停止した状態においても、長時間に渡って冷凍機を動作させて冷凍庫内を必要な温度まで冷却することができ、周囲に騒音をもたらすことがない冷凍システム、冷凍システム付冷凍車、冷蔵システム、冷蔵システム付冷蔵車、冷房システム及び冷房システム付普通乗用車に関する。
【手続補正４】
【補正対象書類名】明細書
【補正対象項目名】０００５
【補正方法】変更
【補正の内容】
【０００５】
本発明は、上記問題点を解決するものであり、冷凍車のエンジン停止時においても冷凍機を長時間動作させて冷凍庫内を冷却することができ、周囲に騒音をもたらすことがない冷凍システム、冷凍システム付冷凍車、冷蔵システム、冷蔵システム付冷蔵車、冷房システム及び冷房システム付普通乗用車を提供することを目的とする。
【手続補正５】
【補正対象書類名】明細書
【補正対象項目名】００１５
【補正方法】変更
【補正の内容】
【００１５】
【発明の実施の形態】
以下、図１〜３に示すように、本発明の冷凍システム、冷凍システム付冷凍車、冷蔵システム、冷蔵システム付冷蔵車、冷房システム及び冷房システム付普通乗用車を実施例によって詳細に説明する。
〔実施例１〕
本第１実施例は、圧縮空気によって回転するタービン、又はエンジンで冷凍機を動作させて冷凍庫内を冷却する、冷凍システム付冷凍車である。
【手続補正６】
【補正対象書類名】明細書
【補正対象項目名】００３６
【補正方法】変更
【補正の内容】
【００３６】
【発明の効果】
本各発明の冷凍システム、冷凍システム付冷凍車、冷蔵システム、冷蔵システム付冷蔵車、冷房システム及び冷房システム付普通乗用車は、エンジンの動作中に冷却機用エアタンクへ圧縮空気を貯蔵し、エンジン停止時の冷凍機の冷媒圧縮機の動力として用いることができるので、長時間エンジンを停止していても、冷凍庫内を冷却することができる。また、エンジンを動作している場合に比べて静かに冷凍機を動作させることができる。